(57)【特許請求の範囲】
【請求項１】
ストリームを受信する受信手段と、
前記受信手段でストリームを受信すると、当該ストリームの認証を行う認証処理手段と、
前記認証処理手段による前記ストリームの認証中は、前記ストリームに含まれるデータ信号に基づく表示について禁止するように制御する制御手段と、
を備えることを特徴とする受信装置。
【請求項２】
ストリームを受信する受信手段と、
前記受信手段でストリームを受信すると、当該ストリームの認証を行う認証処理手段と、
前記認証処理手段による前記ストリームの認証中は、前記ストリームに含まれるデータ信号に基づく外部へのリンクについてアクセスさせないように制御する制御手段と、
を備えることを特徴とする受信装置。
【発明の詳細な説明】
【技術分野】
【０００１】
本発明は、外部へのリンクを含むデータ信号が付加されたコンテンツを受信可能な受信装置に関するものである。
【背景技術】
【０００２】
例えば、近年のテレビ放送は、デジタル放送の普及により多チャンネル化が進み、視聴者に対して多くの番組コンテンツを放送可能になっている。また、インターネット環境においても、高速インターネットの普及に伴って、動画コンテンツを配信するサービスも増加している。
【０００３】
このようなデジタル放送やインターネット等のコンテンツ配信サービスにより配信されるコンテンツのストリームには、データ信号の付属データ（例えばデジタル放送におけるデータ放送）が付加される場合もあり、この付属データにはＵＲＬ（インターネットアドレス）などへのリンク情報が含まれる場合もある。
【０００４】
一方、コンテンツ配信サービスでは、配信するコンテンツの著作権を保護し、悪意あるユーザ等によりコンテンツが不正に利用されるのを防止する必要がある。その一例として、例えば、放送局が許諾するメタデータ提供者が署名したメタデータのみを用いてコンテンツを利用させることにより、放送局の権利を保護可能にしたメタデータ利用制御システムが知られている（例えば、特許文献１参照）。
【０００５】
また、コンテンツ配信サービスでは、視聴するユーザに対しては、コンテンツの安全性を保証する必要がある。すなわち、コンテンツの受信装置においては、正当なコンテンツのストリームを受信する場合の他に、例えば、途中から意図しないストリームにすげ替えられて、前後の関連性が保証されないパケットを含む不正ストリームを受信する場合もある。
【０００６】
例えば、デジタル放送においては、画像データおよび音声データは元の放送のままで、双方向通信可能なデータ放送が改竄された、いわゆる「なりすまし」が行われた不正ストリームを受信する場合がある。このような場合、ユーザは、信頼できる放送局が提供した情報であるため安全であると信じて、データ放送に含まれるＵＲＬにアクセスしてしまうおそれがあり、その結果、ユーザに対してフィッシング詐欺等の重大な実害を与えるおそれがある。
【０００７】
このため、コンテンツの安全性を保証する必要があり、その一つの方法として、コンテンツに、送信元を特定する認証のための署名を付加することにより、ストリームとしての正当性を保証するストリーム認証という技術が知られている。
【０００８】
このように、送信装置側において、ストリーム認証によりコンテンツの安全性を保証したストリームを送信するようにすれば、受信装置側では、ストリームが正当であることが証明されるまで（すなわち、認証処理中）は、受信したストリームを再生しないようにすることにより、ユーザへの不利益を防止することができる。
【０００９】
【特許文献１】特開２００６−２５４２３４号公報
【発明の開示】
【発明が解決しようとする課題】
【００１０】
しかしながら、上述したストリーム認証とは、コンテンツのストリームを構成するパケットの前後の関連性を保証するものであるため、受信装置側において、正当なストリーム（前後の関連性が証明された一連のパケットからなるストリーム）であることを証明するには、一定数以上のパケットを受信して検証を行う必要がある。したがって、ストリーム認証には、ある程度の時間がかかることになる。
【００１１】
このため、上述したように、認証処理中は、受信したストリームを再生しないように受信装置を構成してしまうと、その間、ユーザは所望のコンテンツを選択したにも拘わらず、コンテンツを全く視聴することができなくなって、ユーザにストレスを与えることが懸念される。
【００１２】
したがって、かかる事情に鑑みてなされた本発明の目的は、ユーザに不利益やストレスを与えることなく、コンテンツを適切に再生可能な受信装置を提供することにある。
【課題を解決するための手段】
【００１３】
上記目的を達成する請求項１に係る受信装置の発明は、
ストリームを受信する受信手段と、
前記受信手段でストリームを受信すると、当該ストリームの認証を行う認証処理手段と、
前記認証処理手段による前記ストリームの認証中は、前記ストリームに含まれるデータ信号に基づく表示について禁止するように制御する制御手段と、
を備えることを特徴とするものである。
【００１６】
さらに、上記目的を達成する請求項２に係る受信装置の発明は、
ストリームを受信する受信手段と、
前記受信手段でストリームを受信すると、当該ストリームの認証を行う認証処理手段と、
前記認証処理手段による前記ストリームの認証中は、前記ストリームに含まれるデータ信号に基づく外部へのリンクについてアクセスさせないように制御する制御手段と、
を備えることを特徴とするものである。
【発明の効果】
【００２０】
本発明によれば、ストリームの認証中は、映像データ、音声データに基づく出力は制限せずに、データ信号に基づく画面の表示手段への画面表示を禁止する、または、データ信号に基づく外部へのリンクを制限するようにしたので、ユーザにストリームの視聴が制限されることによるストレスを与えることなく、データ信号に基づき悪意あるサイトに接続してしまう等の不利益を防止して、コンテンツを再生することが可能となる。
【発明を実施するための最良の形態】
【００２１】
以下、本発明の実施の形態について、図を参照して説明する。
【００２２】
（第１実施の形態）
図１は、本発明の第１実施の形態に係る受信装置を用いるコンテンツ配信サービスの一例を示す概略図である。図１に示すコンテンツ配信サービスは、コンテンツを送信する送信装置１００、送信装置１００からのコンテンツを配信するネットワーク２００、ネットワーク２００を経て配信されるコンテンツを受信する受信装置３００、および、受信したコンテンツに付加されている付属データを用いて受信装置３００からＷｅｂアクセスなどを行うためのネットワーク４００を有する。なお、ネットワーク２００およびネットワーク４００は、同一のネットワークでもよい。
【００２３】
送信装置１００は、図２に要部の機能ブロック図を示すように、コンテンツ記憶手段１０１、付属データ記憶手段１０２、データ結合手段１０３、署名手段１０４、送信手段１０５、および、全体の動作を制御する制御手段１０６を有する。
【００２４】
この送信装置１００は、制御手段１０６の制御のもとに、コンテンツ記憶手段１０１に記憶されている複数のコンテンツから送信する所要のコンテンツを読み出すとともに、当該読み出したコンテンツに付加する付属データがあれば、付属データ記憶手段１０２に記憶されている複数の付属データから、対応する付属データを読み出す。これら読み出したコンテンツおよび付属データは、データ結合手段１０３により結合し、さらに、署名手段１０４により、ストリーム認証可能にコンテンツ送信元の署名を付加して、送信手段１０５によりネットワーク２００へ配信する。ここでは、説明の便宜上、送信装置１００は、画像信号および音声信号を有するコンテンツに、付属データとして、ＵＲＬなど外部へのリンク情報が選択的に付加されるＢＭＬからなるデータ信号を結合したデジタル放送のストリームを、放送網のネットワーク２００を介して受信装置３００へ無線送信するものとする。
【００２５】
受信装置３００は、例えば、１セグ放送を受信可能な携帯電話端末からなるもので、図３に要部の機能ブロック図を示すように、放送受信手段３０１、認証処理手段３０２、信号分離手段３０３、コンテンツ再生手段３０４、表示手段３０５、スピーカ３０６、入力手段３０７、メモリ３０８、通信手段３０９、および、全体の動作を制御する制御手段３１０を有する。
【００２６】
入力手段３０７は、機械式キーやタッチパネルキーからなるテンキーや方向キー等の各種の操作キーを有するもので、所定の操作キーには、表示手段３０５の画面構成を、デジタル放送のデータ信号に基づく画面を含む画面構成またはデータ信号に基づく画面を含まない画面構成に切替える第１切替えキー３０７ａを割当てるとともに、他の所定の操作キーには、表示手段３０５の画面構成を、画像表示領域の大小およびデータ信号の有無の組み合わせから成る画面構成に切替える指示を与える第２切替えキー３０７ｂを割当てる。
【００２７】
この受信装置３００は、制御手段３１０の制御のもとに、ネットワーク２００に配信されたコンテンツから、放送受信手段３０１により所望の放送チャンネルのコンテンツを受信して、その受信したコンテンツのストリームを認証処理手段３０２で復号して認証する。また、認証処理手段３０２で復号されたストリームは、信号分離手段３０３で画像信号、音声信号およびデータ信号にそれぞれ分離した後、コンテンツ再生手段３０４でそれぞれデコードして再生する。
【００２８】
本実施の形態では、認証処理手段３０２により認証が成功した状態では、コンテンツ再生手段３０４で再生された画像およびデータを、表示手段３０５に表示し、音はスピーカ３０６から出力する。これにより、放送受信手段３０１により受信した所望の放送チャンネルを視聴するとともに、入力手段３０７によるユーザ操作に基づいて、表示手段３０５に表示されたＵＲＬへのアクセス要求を許容して、通信手段３０９から移動体通信網のネットワーク４００を介してウェブアクセスを開始する。
【００２９】
また、認証処理手段３０２による認証中は、同様に、コンテンツ再生手段３０４で再生された画像およびデータを、表示手段３０５に表示し、音はスピーカ３０６から出力するが、表示手段３０５に表示されたデータのＵＲＬへのアクセス要求は無効として、その旨を表示手段３０５に表示するとともに、そのアクセス要求をメモリ３０８に格納する。その後、認証が成功した時点で、メモリ３０８からアクセス要求を読み出して、通信手段３０９からネットワーク４００を介してのウェブアクセスを開始する。
【００３０】
以下、本実施の形態による受信装置３００の要部の動作について、図４に示すフローチャートおよび図５に示す画面表示例を参照して説明する。
【００３１】
先ず、放送チャンネル（ＣＨ）の切替えによって、放送受信手段３０１の受信放送チャンネルを所望の放送チャンネルに切替えたら、当該放送チャンネルで受信したストリームの画像信号・音声信号・データ信号を認証処理手段３０２で復号してコンテンツの認証を開始する（ステップＳ１１）。
【００３２】
ステップＳ１１での復号の結果、出力可能な画像信号・音声信号・データ信号があれば、コンテンツ再生手段３０４で再生して、画像およびデータは表示手段３０５に表示し、音はスピーカ３０６から出力する（ステップＳ１２）。したがって、ユーザは、コンテンツの認証中であっても、放送受信手段３０１により選択した所望の放送チャンネルのコンテンツを即座に視聴することができるので、ストレスを感じることもない。
【００３３】
認証処理手段３０２によるコンテンツの認証中、入力手段３０７を介してのユーザ操作により、表示手段３０５に表示されたＵＲＬへのアクセス要求があった場合には（ステップＳ１３）、制御手段３１０は、そのアクセス要求を無効としてメモリ３０８に一旦格納して、認証処理手段３０２によるコンテンツの認証状態を判定する（ステップＳ１４）。その結果、未だ認証中であれば、図５（ａ）に示すように、表示手段３０５に認証中であるためウェブ（Ｗｅｂ）アクセスしない旨のメッセージを表示する（ステップＳ１５）。
【００３４】
なお、図５（ａ）は、表示手段３０５の表示領域を縦長の状態として、上部の画像表示領域に画像に重畳して「認証中」のメッセージを表示し、下部のデータ表示領域には、ＢＭＬ（データ信号）に重畳して「認証中のためアクセスできません」のメッセージを表示した場合を例示している。
【００３５】
その後、ステップＳ１４において、認証処理手段３０２によるコンテンツの認証が成功（ＯＫ）した場合には、メモリ３０８に格納したアクセス要求を読み出して、通信手段３０９からネットワーク４００を介してウェブアクセスを開始する（ステップＳ１６）。
【００３６】
図５（ｂ）は、この場合の表示手段３０５の表示状態を例示しており、上部の画像表示領域には、画像に重畳して「認証完了」のメッセージを表示し、下部のデータ表示領域には、ＢＭＬに重畳して「ページを開いています」のウェブアクセスを示すメッセージを表示した場合を示している。なお、「認証完了」のメッセージは、所定時間後に表示を終了し、「ページを開いています」のメッセージは、所定のウェブページが開いたら、表示を終了する。
【００３７】
これに対し、ステップＳ１４において、認証処理手段３０２によるコンテンツの認証が失敗（ＮＧ）した場合には、メモリ３０８に格納したアクセス要求を消去するとともに、表示手段３０５に認証ＮＧであるため画像・データともに表示できない旨を表示して、画像・データの表示および音声の出力を終了する（ステップＳ１７）。
【００３８】
以上のように、本実施の形態では、コンテンツの認証中であっても、画像・音・データは常に表示・出力するようにしたので、ユーザは、選択した所望の放送チャンネルのコンテンツを即座に視聴することができ、ストレスを感じることもない。しかも、コンテンツの認証中は、ＵＲＬへのアクセス要求をメモリ３０８に一旦格納し、認証が成功した時点で実行するようにしたので、不正なリンク先に飛んでしまう等の不利益をユーザに与えることもない。
【００３９】
（第２実施の形態）
本発明の第２実施の形態では、第１実施の形態に示した構成の受信装置３００において、認証中は、出力可能な画像・音は常に表示・出力するが、ＢＭＬについては、認証が成功するまで表示しないように、制御手段３１０により制御する。
【００４０】
以下、本実施の形態による受信装置３００の要部の動作について、図６に示すフローチャートおよび図７に示す画面表示例を参照して説明する。
【００４１】
先ず、放送チャンネル（ＣＨ）の切替えによって、放送受信手段３０１の受信放送チャンネルを所望の放送チャンネルに切替えたら、第１実施の形態と同様に、当該放送チャンネルで受信したストリームの画像信号・音声信号・データ信号を認証処理手段３０２で復号してコンテンツの認証を開始する（ステップＳ２１）。
【００４２】
ステップＳ２１での復号の結果、出力可能な画像信号・音声信号があれば、コンテンツ再生手段３０４で再生して、画像を表示手段３０５に表示し、音はスピーカ３０６から出力する（ステップＳ２２）。したがって、ユーザは、コンテンツの認証中であっても、放送受信手段３０１により選択した所望の放送チャンネルのコンテンツを即座に視聴することができるので、ストレスを感じることもない。
【００４３】
本実施の形態では、ステップＳ２１での復号の結果、表示可能なＢＭＬがある場合には（ステップＳ２３）、制御手段３１０により、認証処理手段３０２によるコンテンツの認証状態を判定し（ステップＳ２４）、その結果、未だ認証中であれば、図７（ａ）に示すように、表示手段３０５に認証中であるためＢＭＬ表示ができない旨のメッセージを表示する（ステップＳ２５）。
【００４４】
なお、図７（ａ）は、図５（ａ）の場合と同様に、表示手段３０５の表示領域を縦長の状態として、上部の画像表示領域には、画像に重畳して「認証中」のメッセージを表示しているが、下部のデータ表示領域には、「認証中のため表示できません」のメッセージを表示して、ＢＭＬは表示しないようにしている。
【００４５】
その後、ステップＳ２４において、認証処理手段３０２によるコンテンツの認証が成功（ＯＫ）した場合には、図７（ｂ）に示すように、表示手段３０５の上部の画像表示領域には、画像に重畳して「認証完了」のメッセージとを表示し、下部のデータ表示領域にはＢＭＬを表示する（ステップＳ２６）。これにより、ユーザは、入力手段３０７を介して、表示手段３０５に表示されたＵＲＬへのアクセスが可能となる。なお、「認証完了」のメッセージは、所定時間後に表示を終了する。
【００４６】
これに対し、ステップＳ２４において、認証処理手段３０２によるコンテンツの認証が失敗（ＮＧ）した場合には、第１実施の形態と同様に、表示手段３０５に認証ＮＧであるため画像・データともに表示できない旨を表示して、画像・データの表示および音声の出力を終了する（ステップＳ２７）。
【００４７】
このように、本実施の形態では、画像・音については、コンテンツの認証中であっても常に表示・出力し、ＢＭＬについては、認証が成功してから表示するようにしたので、第１実施の形態と同様に、ユーザは、選択した所望の放送チャンネルのコンテンツを即座に視聴することができ、ストレスを感じることもないとともに、認証中はＢＭＬを非表示とし、認証が成功した時点でＢＭＬを表示するので、ユーザに不正なＢＭＬによる不利益を与えることもない。
【００４８】
（第３実施の形態）
本発明の第３実施の形態では、第１実施の形態に示した構成の受信装置３００において、表示手段３０５のデフォルトの画面構成を、ＢＭＬを含まない画面構成（ＢＭＬ非表示モード）として、入力手段３０７に割当てられた第１切替えキー３０７ａの操作により、ＢＭＬを含む画面構成（ＢＭＬ表示モード）に切替えられるようにするとともに、コンテンツの認証中に、第１切替えキー３０７ａが操作された場合は、認証が成功してからＢＭＬ表示モードに切替えるように、制御手段３１０により制御する。
【００４９】
以下、本実施の形態による受信装置３００の要部の動作について、図８に示すフローチャートおよび図９に示す画面表示例を参照して説明する。
【００５０】
先ず、放送チャンネル（ＣＨ）の切替えによって、放送受信手段３０１の受信放送チャンネルを所望の放送チャンネルに切替えたら、上記実施の形態と同様に、当該放送チャンネルで受信したストリームの画像信号・音声信号・データ信号を認証処理手段３０２で復号してコンテンツの認証を開始する（ステップＳ３１）。
【００５１】
ステップＳ３１での復号の結果、出力可能な画像信号・音声信号があれば、コンテンツ再生手段３０４で再生して、画像を表示手段３０５に表示し、音はスピーカ３０６から出力する（ステップＳ３２）。したがって、ユーザは、上記実施の形態の場合と同様に、コンテンツの認証中であっても、放送受信手段３０１により選択した所望の放送チャンネルのコンテンツを即座に視聴することができるので、ストレスを感じることもない。なお、受信装置３００は、ＢＭＬ非表示モードをデフォルト設定としているため、この時点でＢＭＬは表示されていない。
【００５２】
認証処理手段３０２によるコンテンツの認証中、入力手段３０７の第１切替えキー３０７ａの操作により、ＢＭＬを含む画面構成への表示切替え要求があった場合には（ステップＳ３３）、制御手段３１０は、その表示切替え要求を無効としてメモリ３０８に一旦格納して、認証処理手段３０２によるコンテンツの認証状態を判定する（ステップＳ３４）。その結果、未だ認証中であれば、例えば、図９（ａ）に示すように、表示手段３０５に認証中であるため表示切替えができない旨のメッセージを表示する（ステップＳ３５）。
【００５３】
図９（ａ）は、表示手段３０５の表示領域を縦長とした場合を示している。この場合、コンテンツの認証中は、上部の画像表示領域に、画像に重畳して「認証中」のメッセージを表示し、下部のデータ表示領域には、放送チャンネル番号３０５ａ、ボリュームのインジケータ３０５ｂ、ボリューム調整に割当てられた操作キー３０５ｃを表示するとともに、第１切替えキー３０７ａとして割当てたＢＭＬ表示切替えキー３０５ｄを表示し、さらに、「認証中のため切替えできません」のメッセージを重畳して表示する。なお、ここでは、第１切替えキー３０７ａとして、オフフックキー（通話キー）を割当てた場合を示している。
【００５４】
その後、ステップＳ３４において、認証処理手段３０２によるコンテンツの認証が成功（ＯＫ）した場合には、メモリ３０８に格納した表示切替え要求を読み出して、図９（ｂ）に示すように、表示手段３０５の下部のデータ表示領域における表示画面をＢＭＬ表示画面として、表示手段３０５の画面構成を、ＢＭＬを含む画面構成に表示を切替える（ステップＳ３６）。なお、表示手段３０５の上部の画像表示領域には、認証が成功した時点から所定時間、画像に重畳して「認証完了」のメッセージを表示する。これにより、ユーザは、入力手段３０７を介して、表示手段３０５に表示されたＢＭＬに含まれるＵＲＬへのアクセスが可能となる。なお、その後、第１切替えキー３０７ａを操作すれば、ＢＭＬを含まない画面構成に戻ることができる。
【００５５】
これに対し、ステップＳ３４において、認証処理手段３０２によるコンテンツの認証が失敗（ＮＧ）した場合には、第１実施の形態と同様に、メモリ３０８に格納した表示切替え要求を消去するとともに、表示手段３０５に認証ＮＧであるため画像・データともに表示できない旨を表示して、画像・データの表示および音声の出力を終了する（ステップＳ３７）。
【００５６】
このように、本実施の形態では、画像・音については、コンテンツの認証中であっても常に表示・出力し、受信装置３００がＢＭＬ非表示モードである場合に、第１切替えキー３０７ａによるＢＭＬを含む画面構成への表示切替え要求を無効にし、認証が成功してから、ＢＭＬを含む画面構成に切替えるようにしたので、第１実施の形態と同様に、ユーザは、選択した所望の放送チャンネルのコンテンツを即座に視聴することができる。したがって、ユーザにストレスや不利益を与えることもない。
【００５７】
（第４実施の形態）
本発明の第４実施の形態では、上記の第３実施の形態において、コンテンツの認証中は、第１切替えキー３０７ａの操作自体を無効として、表示手段３０５へのＢＭＬ表示切替えキー３０５ｄを通常よりも低輝度で表示するか、またはＢＭＬ表示切替えキー３０５ｄを表示しないようにし、認証が成功したら、第１切替えキー３０７ａの操作を有効として、表示手段３０５へのＢＭＬ表示切替えキー３０５ｄを通常の輝度で表示するように、制御手段３１０により制御する。
【００５８】
以下、本実施の形態による受信装置３００の要部の動作について、図１０に示すフローチャートおよび図１１に示す画面表示例を参照して説明する。
【００５９】
先ず、放送チャンネル（ＣＨ）の切替えによって、放送受信手段３０１の受信放送チャンネルを所望の放送チャンネルに切替えたら、上記実施の形態と同様に、当該放送チャンネルで受信したストリームの画像信号・音声信号・データ信号を認証処理手段３０２で復号してコンテンツの認証を開始する（ステップＳ４１）。
【００６０】
ステップＳ４１での復号の結果、出力可能な画像信号・音声信号があれば、コンテンツ再生手段３０４で再生して、画像を表示手段３０５に表示し、音はスピーカ３０６から出力する（ステップＳ４２）。したがって、ユーザは、上記実施の形態の場合と同様に、コンテンツの認証中であっても、放送受信手段３０１により選択した所望の放送チャンネルのコンテンツを即座に視聴することができるので、ストレスを感じることもない。
【００６１】
制御手段３１０は、認証処理手段３０２によるコンテンツの認証状態を判定し（ステップＳ４３）、認証中であれば、ここでは、図１１（ａ）に示すように、表示手段３０５へのＢＭＬ表示切替えキー３０５ｄを表示しないようにする（ステップＳ４４）。なお、図１１（ａ）では、コンテンツの認証中は、上部の画像表示領域に、画像に重畳して「認証中」のメッセージを表示し、下部のデータ表示領域には、放送チャンネル番号３０５ａ、ボリュームのインジケータ３０５ｂ、ボリューム調整に割当てられた操作キー３０５ｃを表示している。
【００６２】
その後、ステップＳ４３において、認証処理手段３０２によるコンテンツの認証が成功（ＯＫ）した場合には、図１１（ｂ）に示すように、表示手段３０５にＢＭＬ表示切替えキー３０５ｄを表示して（ステップＳ４５）、対応する第１切替えキー３０７ａの操作を有効とする。
【００６３】
これに対し、コンテンツの認証が失敗（ＮＧ）した場合には、上記実施の形態と同様に、表示手段３０５に認証ＮＧであるため画像・データともに表示できない旨を表示して、画像・データの表示および音声の出力を終了する（ステップＳ４６）。
【００６４】
このように、本実施の形態では、画像・音については、コンテンツの認証中であっても常に表示・出力するようにしたので、ユーザに対して、選択した所望の放送チャンネルのコンテンツを即座に視聴させることができる。したがって、ユーザに、ストレスを与えることもない。また、コンテンツの認証中は、表示手段３０５の画面構成を、ＢＭＬ非表示モードにするとともに、第１切替えキー３０７ａの操作自体を無効として、ＢＭＬ表示切替えキー３０５ｄを表示しないようにしたので、認証中にユーザに不利益を与えることもない。
【００６５】
（第５実施の形態）
本発明の第５実施の形態では、第１実施の形態に示した構成の受信装置３００において、表示手段３０５の画面構成を、コンテンツの認証が成功した状態では、入力手段３０７の第２切替えキー３０７ｂを操作する毎に、図１２に示すように順次切替えるが、認証中においては、図１３に示すように、ＢＭＬを含む画面構成をスキップして順次切替える。
【００６６】
すなわち、本実施の形態の受信装置３００は、表示手段３０５の画面構成として、画像表示領域の大小およびデータ信号の有無の組み合わせから、図１２に示すように、表示領域を縦長として上部に画像を、下部に操作画面を表示する画面構成Ａと、表示領域を縦長として上部に画像を、下部にＢＭＬ画面を表示する画面構成Ｂと、表示領域を横長として全体に画像を表示する画面構成Ｃと、表示領域を横長として全体に画像を表示するとともに、ＢＭＬを重畳して表示する画面構成Ｄとを有する。
【００６７】
認証処理手段３０２によるコンテンツの認証が成功した状態では、入力手段３０７の第２切替えキー３０７ｂを操作する毎に、図１２に示すように、画面構成Ａ〜Ｄを順次循環するように画面構成を切替えるが、認証中においては、図１３に示すように、ＢＭＬを含む画面構成Ｂおよび画面構成Ｄをスキップして、画面構成Ａと画面構成Ｃとの間で切替える。
【００６８】
以下、本実施の形態による受信装置３００の要部の動作について、図１４に示すフローチャートを参照して説明する。
【００６９】
先ず、放送チャンネル（ＣＨ）の切替えによって、放送受信手段３０１の受信放送チャンネルを所望の放送チャンネルに切替えたら、上記実施の形態と同様に、当該放送チャンネルで受信したストリームの画像信号・音声信号・データ信号を認証処理手段３０２で復号してコンテンツの認証を開始する（ステップＳ５１）。
【００７０】
ステップＳ５１での復号の結果、出力可能な画像信号・音声信号があれば、コンテンツ再生手段３０４で再生して、画像を表示手段３０５に表示し、音はスピーカ３０６から出力する（ステップＳ５２）。したがって、ユーザは、上記実施の形態の場合と同様に、コンテンツの認証中であっても、放送受信手段３０１により選択した所望の放送チャンネルのコンテンツを即座に視聴することができるので、ストレスを感じることもない。
【００７１】
認証処理手段３０２によるコンテンツの認証中、入力手段３０７の第２切替えキー３０７ｂの操作により、画面構成の表示切替え要求があった場合には（ステップＳ５３）、制御手段３１０は、認証処理手段３０２によるコンテンツの認証状態を判定する（ステップＳ５４）。
【００７２】
その結果、認証中であれば、第２切替えキー３０７ｂの操作によって次に切替えるべき画面構成にＢＭＬが含まれるか否かを判定し（ステップＳ５５）、ＢＭＬが含まれる画面構成の場合には、その画面構成をスキップして、ＢＭＬを含まない画面構成に表示を切替えて（ステップＳ５６）、ステップＳ５３に移行する。これに対し、ステップＳ５５において、第２切替えキー３０７ｂの操作によって切替えるべき画面構成にＢＭＬが含まれない場合には、当該画面構成に表示を切替えて（ステップＳ５７）、ステップＳ５３に移行する。
【００７３】
一方、ステップＳ５４において、認証処理手段３０２によるコンテンツの認証が成功（ＯＫ）していれば、次に切替えるべき画面構成にＢＭＬが含まれるか否かに関係なく、当該次に切替えるべき画面構成に表示を切替える（ステップＳ５８）。
【００７４】
これに対し、ステップＳ５４において、認証処理手段３０２によるコンテンツの認証が失敗（ＮＧ）した場合には、上記実施の形態と同様に、表示手段３０５に認証ＮＧであるため画像・データともに表示できない旨を表示して、画像・データの表示および音声の出力を終了する（ステップＳ５９）。
【００７５】
このように、本実施の形態では、画像・音については、コンテンツの認証中であっても常に表示・出力するようにしたので、ユーザに対して、選択した所望の放送チャンネルのコンテンツを即座に視聴させることができる。したがって、ユーザに、ストレスを与えることもない。また、コンテンツの認証中は、入力手段３０７の第２切替えキー３０７ｂの操作による画面構成の表示切替えを制限して、ＢＭＬを含む画面構成はスキップして表示しないようにしたので、認証中にユーザに不利益を与えることもない。
【００７６】
なお、本発明は、上記実施の形態にのみ限定されるものではなく、幾多の変形または変更が可能である。例えば、上記各実施の形態では、放送チャンネルを切替えた際の受信を前提に説明したが、本発明は、所望の放送チャンネルの受信において、一度認証が成功した後に、コンテンツの認証ができなくなって、再度、認証を行う場合にも同様に適用することができる。また、第３〜第５実施の形態においては、表示手段３０５へのＢＭＬ表示切替えキー３０５ｄの表示を省略することもできる。
【図面の簡単な説明】
【００７７】
【図１】本発明の第１実施の形態に係る受信装置を用いるコンテンツ配信サービスの一例を示す概略図である。
【図２】図１に示す送信装置の要部の構成を示す機能ブロック図である。
【図３】図１に示す受信装置の要部の構成を示す機能ブロック図である。
【図４】第１実施の形態に係る受信装置の要部の動作を説明するためのフローチャートである。
【図５】第１実施の形態の画面表示例を示す図である。
【図６】本発明の第２実施の形態に係る受信装置の要部の動作を説明するためのフローチャートである。
【図７】第２実施の形態の画面表示例を示す図である。
【図８】本発明の第３実施の形態に係る受信装置の要部の動作を説明するためのフローチャートである。
【図９】第３実施の形態の画面表示例を示す図である。
【図１０】本発明の第４実施の形態に係る受信装置の要部の動作を説明するためのフローチャートである。
【図１１】第４実施の形態の画面表示例を示す図である。
【図１２】本発明の第４実施の形態に係る受信装置による認証成功状態での画面構成の表示切替例を示す図である。
【図１３】第４実施の形態に係る受信装置による認証中での画面構成の表示切替例を示す図である。
【図１４】第４実施の形態に係る受信装置の要部の動作を説明するためのフローチャートである。
【符号の説明】
【００７８】
１００  送信装置
１０１  コンテンツ記憶手段
１０２  付属データ記憶手段
１０３  データ結合手段
１０４  署名手段
１０５  送信手段
１０６  制御手段
２００，４００  ネットワーク
３００  受信装置
３０１  放送受信手段
３０２  認証処理手段
３０３  信号分離手段
３０４  コンテンツ再生手段
３０５  表示手段
３０６  スピーカ
３０７  入力手段
３０７ａ  第１切替えキー
３０７ｂ  第２切替えキー
３０８  メモリ
３０９  通信手段
３１０  制御手段
【図１】
0005144157.tif 000002
【図２】
0005144157.tif 000003
【図３】
0005144157.tif 000004
【図４】
0005144157.tif 000005
【図５】
0005144157.tif 000006
【図６】
0005144157.tif 000007
【図７】
0005144157.tif 000008
【図８】
0005144157.tif 000009
【図９】
0005144157.tif 000010
【図１０】
0005144157.tif 000011
【図１１】
0005144157.tif 000012
【図１２】
0005144157.tif 000013
【図１３】
0005144157.tif 000014
【図１４】
0005144157.tif 000015